(57)【要約】【課題】コンピュータケースフロントパネルの取外し不要開閉式大型ベイカバーを提供する。【解決手段】  コンピュータケースフロントパネルの取外し不要開閉式大型ベイカバー３は、フロントパネルの対応するドライブベイ２１上を覆い、大型ベイカバーとフロントパネルドライブベイの同じ側辺に、対応して軸連結できる凸軸２３と軸孔３２をそれぞれ設け、大型ベイカバーがフロントパネル上で開閉できるようにすることにより、コンピュータケースフロントパネルと大型ベイカバーを取り外さない状態で、迅速に周辺デバイスを取り付け或いは取外し交換できるようにした。【選択図】  図２
0003102211.tif 000002
【実用新案登録請求の範囲】
【請求項１】
コンピュータケースフロントパネルの取外し不要開閉式大型ベイカバーは、フロントパネルのドライブベイに対応して蓋をなし、
大型ベイカバーとフロントパネルのドライブベイの同じ側辺に、それぞれ対応して軸連結できる凸軸と軸孔を設けて、大型ベイカバーをフロントパネル上で開閉可能にし、
これによりコンピュータケースのフロントパネルと大型ベイカバーを取り外さない状態で、周辺デバイスを迅速に取り付け或いは取り外し変更できるようにして成ることを特徴とするコンピュータケースフロントパネルの取外し不要開閉式大型ベイカバー。
【請求項２】
ドライブベイの一側辺に、上下対称且つ外向きに延伸して軸アームを設け、二つの軸アームの自由側の向かい合う面にそれぞれ凸軸を設け、大型ベイカバーの同じ側辺に予め設ける軸孔を挟み込むようにして成ることを特徴とする請求項１記載のコンピュータケースフロントパネルの取外し不要開閉式大型ベイカバー。
【請求項３】
大型ベイカバーの一側辺に、上下対称且つ内向きに延伸してくぼみを設け、二つのくぼみの底面にそれぞれ凸軸に対応して軸連結する軸孔を設けて成ることを特徴とする請求項1、請求項２記載のコンピュータケースフロントパネルの取外し不要開閉式大型ベイカバー。
【請求項４】
大型ベイカバーの一側辺に、ドライブベイと相互に弾性係合する係合部材を設けて成ることを特徴とする請求項１記載のコンピュータケースフロントパネルの取外し不要開閉式大型ベイカバー。
【請求項５】
係合部材は略U形を呈する弾性フックであることを特徴とする請求項４記載のコンピュータケースフロントパネルの取外し不要開閉式大型ベイカバー。
【請求項６】
大型ベイカバーは略外凸内凹状を呈し、周辺デバイスの露出表面をカバーできるようにして成ることを特徴とする請求項１記載のコンピュータケースフロントパネルの取外し不要開閉式大型ベイカバー。
【考案の詳細な説明】
【技術分野】
【０００１】
本考案はコンピュータケースフロントパネルの大型ベイカバーの構造に関し、特に、コンピュータケースのフロントパネルとベイカバーを取り外さない状態で、周辺デバイスを迅速に取り付け、或いは取り外し変更できるコンピュータケースフロントパネルの取外し不要開閉式大型ベイカバーに関する。
【背景技術】
【０００２】
技術の進歩により、コンピュータ周辺デバイスの交換頻度も多くなっている。低倍速のＶＣＤドライブから高倍速のものに換えたり、ＤＶＤドライブに換えたり、また大容量ハードディスクの追加など、取り付け前には必ずコンピュータケースを分解しなければならない。フロントパネル操作が必要ないデバイスであれば、サイドパネルを開けてデバイスをケース内のフレームに固定して電源とバスを接続すれば取り付け完了である。しかし、フロントパネル操作のあるデバイスとなると、ＶＣＤドライブやカセット式ハードディスクといったデバイスの場合、どうしてもフロントパネル１を動かさなければならない。フロントパネル１には若干のドライブベイ１１が設けてあり、ドライブベイ１１表面はベイカバー１２で蓋をして異物やホコリの侵入を防げるようになっている。そのため、デバイスの操作フロントパネルをフロントパネル１上に露出させたい場合には、デバイスを固定する箇所のベイカバー１２を取り外さねばならず、上述のフロントパネル操作が不要な取り付け動作のほかに、更に加えてフロントパネル１とベイカバー１２の取り外し、取り付けの動作が必要になる（図１に示す）。外してまた付ける動作で時間が浪費される上、取り外したベイカバー１２は、長く使わないうちに紛失してしまったりして必要な時に見つからず、フロントパネル１のフラットなデザインもこのために美観を損ねたりする。
【考案の開示】
【考案が解決しようとする課題】
【０００３】
上記の公知のコンピュータケースフロントパネルとベイカバーの欠点を排除し、コンピュータケースのフロントパネルとベイカバーを取り外さない状態で、装備を迅速に取り付け或いは取り外し交換できるようにするコンピュータケースフロントパネルの取外し不要開閉式大型ベイカバーを提供することを課題とする。
また、防塵機能を具え且つフロントパネルのトータルなデザインを保持することができるコンピュータケースフロントパネルの取外し不要開閉式大型ベイカバーを提供することを課題とする。
【課題を解決するための手段】
【０００４】
本考案のコンピュータケースフロントパネルの取外し不要開閉式大型ベイカバーは、フロントパネルのドライブベイに対応して蓋をする。大型ベイカバーとフロントパネルのドライブベイの同じ側辺に、対応して軸連結できる凸軸と軸孔をそれぞれ設け、大型ベイカバーがフロントパネル上で開閉できるようにする。これによりコンピュータケースのフロントパネルと大型ベイカバーを取り外さない状態で、周辺デバイスを迅速に取り付け或いは取外し交換できるようにする。
【考案の効果】
【０００５】
本考案のコンピュータケースフロントパネルの取外し不要開閉式大型ベイカバーは異物やホコリの侵入防止として用いるだけでなく、フロントパネルと大型ベイカバーの付け外し動作が不要なため、間接的に作業時間の節約になる。また取り外したベイカバーを紛失してフロントパネルのフラットなデザインを損なう心配もなく、コンピュータケースのフロントパネルと大型ベイカバーを取り外さない状態で、迅速に周辺デバイスを取り付け或いは取り外し交換できるようになる。
【考案を実施するための最良の形態】
【０００６】
図懸念２、図３に示すように、コンピュータケースフロントパネルの取外し不要開閉式大型ベイカバーは、主にフロントパネル２と大型ベイカバー３から成り、大型ベイカバー３はフロントパネル２のドライブベイ２１上に対応して蓋している。
【０００７】
フロントパネル２のドライブベイ２１の一側辺に、上下対称且つ外向きに延伸して軸アーム２２を設け、二つの軸アーム２２の自由側の向かい合う面にそれぞれ凸軸２３を設ける。
大型ベイカバー３は、略外凸内凹状を呈し、周辺デバイスの露出表面をカバーできるようにする。ドライブベイ２１の軸アーム２２に対応する大型ベイカバー側辺に、上下対称且つ内向きに入り込んでくぼみ３１を設け、軸アーム２２の自由側に差し込んで大型ベイカバー３の同じ側辺に設けたくぼみ３１を挟み込むようにする。くぼみ３１の底面に、それぞれ凸軸２３に対応して軸連結できる軸孔３２を設ける。大型ベイカバー３の別の一側辺には、略Ｕ型を呈し、ドライブベイ２１と相互に弾性係合できる弾性フック３３を設ける(図４、５に示す)。
【０００８】
以上の構造により、大型ベイカバー３の軸孔３２で、フロントパネル２ドライブベイ２１の凸軸２３と対応して同じ側辺を軸連結でき、大型ベイカバー３がフロントパネル２上で開閉できるようになる。大型ベイカバー３はまた、フロントパネル２ドライブベイ２１の面積を完全に覆うことができるようになる。大型ベイカバー３の別の一側辺の弾性フック３３は、ドライブベイ２１の対応する側辺に係合し（図６に示す）、大型ベイカバー３を開けようとする場合は弾性フック３３を押して大型ベイカバーを引き開けるだけでよく、ドライブベイ２１が露出して周辺デバイスを挿入できるようになる。
【０００９】
周辺デバイス取付け時には、コンピュータケースはサイドパネルを外し、後は指で弾性フック３３を押して大型ベイカバー３を引き開けるだけで、ドライブベイ２１が露出して周辺デバイスを挿入できるようになる。周辺デバイスをドライブベイ２１内に挿入した後、周辺設備を直接ケース内部のフレームに固定して、電源とバスを接続すれば取り付け完了となり、大型ベイカバー３をフロントパネル２のドライブベイ２１上に戻して蓋をすれば周辺デバイスの露出表面も内凹面に覆われる。
【００１０】
大型ベイカバー３は異物やホコリの侵入防止として用いるだけでなく、フロントパネル２と大型ベイカバー３の付け外し動作が不要なため、間接的に作業時間の節約になる。また取り外したベイカバーを紛失してフロントパネル２のフラットなデザインを損なう心配もなく、コンピュータケースのフロントパネル２と大型ベイカバーを取り外さない状態で、迅速に周辺デバイスを取り付け或いは取り外し交換できるようになる。
【図面の簡単な説明】
【００１１】
【図１】公知のコンピュータケースフロントパネルの構造分解図である。
【図２】本考案の構造分解図である。
【図３】本考案の構造組立図である。
【図４】本考案の構造組立断面図である。
【図５】本考案の公的な実施例の図一である。
【図６】本考案の公的な実施例の図二である。
【符号の説明】
【００１２】
１    フロントパネル
１１  ドライブベイ
１２  ベイカバー
２    フロントパネル
２１  ドライブベイ
２２  軸アーム
２３  凸軸
３    大型ベイカバー
３１  くぼみ
３２  軸孔
３３  弾性フック
【図１】
0003102211.tif 000003
【図２】
0003102211.tif 000004
【図３】
0003102211.tif 000005
【図４】
0003102211.tif 000006
【図５】
0003102211.tif 000007
【図６】
0003102211.tif 000008